(57)【要約】      （修正有）【課題】敷設面積や形状及び放熱量に対応できる床暖冷房用パネル装置とその施工法を提供する。【解決手段】平面視四角形で、表面には同一方向に向けて小径チューブ用配管溝１が一定の間隔で複数形成されていると共に、同一方向に向けて大径チューブ用配管溝２が小径チューブ用配管溝に対して直角方向に向けて一定の間隔で複数形成されている敷設方向自在なセンターパネルＡと、センターパネルＡの上下左右辺に並設することができ、表面には小径又は大径チューブ用Ｕターン配管溝３ｂ−３ｅ，４ｂ−４ｅがセンターパネル側のチューブ用配管溝と対向するように、同一間隔かつ隣接する配管溝同士が結ばれた状態で二段に形成され、Ｕターン配管溝の外側にはＵターン部と結ばれた横断配管溝５ｂ−５ｅが形成されたＵターンパネルＢ、Ｃ、Ｄ、Ｅとを部屋の形状等に合わせて敷設し、熱源機と結んだ小径又は大径チューブを選択・配管し、これに温水を循環させる。【選択図】図１
2020026718.tif 000002
【特許請求の範囲】
【請求項１】
平面視四角形から成る敷設方向自在なセンターパネルであって、
前記センターパネルの表面には、同一方向に向けて小径チューブ用配管溝が一定の間隔で複数形成されていること、
併せて、前記センターパネルの表面には、同一方向に向けて大径チューブ用配管溝が前記小径チューブ用配管溝に対して直角方向に向けて一定の間隔で複数形成されていること、
を特徴とする自在型床暖冷房用パネル装置。
【請求項２】
請求項１に係るセンターパネルと、
このセンターパネルの上下左右辺に沿って並設することができ、表面には小径又は大径チューブ用Ｕターン配管溝が前記センターパネル側のチューブ用配管溝と対向するように同一間隔かつ隣接する配管溝同士が結ばれた状態で二段に形成され、かつ、このＵターン配管溝の外側にはＵターン部と結ばれた横断配管溝が形成されたＵターンパネルと、
から構成されることを特徴とする自在型床暖冷房用パネル装置。
【請求項３】
施工する床面積及び形状に合わせて前記センターパネルを敷設し、
次に、前記Ｕターンパネルを前記センターパネルの上下辺又は左右辺に沿って並設し、
これらのパネルの用途に合わせて小径又は大径チューブを選択し、このチューブを各パネル上面において各配管溝内に押し込むようにして一連に配管する、
次に、配管したチューブの両端部を前記センターパネル又はＵターンパネルの配管溝内に形成された送り孔及び戻り孔に挿通し、床下又は床上において熱源機と接続する、
ことを特徴とする自在型床暖冷房用パネル装置の施工法。
【発明の詳細な説明】
【技術分野】
【０００１】
本発明は、施工対象となる床面積の広さと形状及び放熱量に合わせて任意に敷設することができる自在型床暖冷房用パネル装置とその施工法に関する。
【背景技術】
【０００２】
従来の床暖冷房用温水パネルは、施工対象となる部屋の床面積や形状に合わせて定形化されていることから、床暖冷房用温水パネルは床面積やその大きさ及び形状の異なる定形化されたものが多数用意されている。
このため、パネルの製造コストが高くつき、数も多くなることから製品管理が面倒なものとなっている。
【０００３】
また、使用される温冷水チューブの口径も用途により例えば１０Ａ又は１３Ａ用とタイプが分かれていることから、通常は放熱量の異なる２タイプのパネルが用意されており、この点からもコスト及び商品管理が面倒なものとなっている。
【発明の概要】
【発明が解決しようとする課題】
【０００４】
本発明は、以上の如き問題点に鑑みて提供されるものであって、規格化されたパネルを任意に並べて設置することにより、床面積の大きさや形状の違い及び放熱量の変化に少数枚のパネルを組み合わせて対応できる自在型床暖冷房用パネル装置及びその施工法を提供することを目的とする。
【課題を解決するための手段】
【０００５】
上記目的を達成するため、請求項１に記載の発明は、自在型床暖冷房用パネル装置において、平面視四角形から成る敷設方向自在なセンターパネルであって、前記センターパネルの表面には、同一方向に向けて小径チューブ用配管溝が一定の間隔で複数形成されていること、併せて、前記センターパネルの表面には、同一方向に向けて大径チューブ用配管溝が前記小径チューブ用配管溝に対して直角方向に向けて一定の間隔で複数形成されていること、を特徴とするものである。
【０００６】
また、請求項２に記載の発明は、自在型床暖冷房用パネル装置において、請求項１に係るセンターパネルと、このセンターパネルの上下左右辺に沿って並設することができ、表面には小径又は大径チューブ用Ｕターン配管溝が前記センターパネル側のチューブ用配管溝と対向するように同一間隔かつ隣接する配管溝同士が結ばれた状態で二段に形成され、かつ、このＵターン配管溝の外側にはＵターン部と結ばれた横断配管溝が形成されたＵターンパネルと、から構成されることを特徴とするものである。
【０００７】
また、請求項３に記載の発明は、自在型床暖冷房用パネル装置の施工法において、施工する床面積及び形状に合わせて前記センターパネルを敷設し、次に、前記Ｕターンパネルを前記センターパネルの上下辺又は左右辺に沿って並設し、これらのパネルの用途に合わせて小径又は大径チューブを選択し、このチューブを各パネル上面において各配管溝内に押し込むようにして一連に配管する、次に、配管したチューブの両端部を前記センターパネル又はＵターンパネルの配管溝内に形成された送り孔及び戻り孔に挿通し、床下又は床上において熱源機と接続すること、を特徴とするものである。
【発明の効果】
【０００８】
上記発明によると、センターパネルには小径用及び大径用温冷水チューブ用の配管溝が形成してあるため、対象となる床の大きさ、形状、放熱量に合わせて、小径用温冷水チューブ用の配管溝が形成されたＵターンパネル又は大径用温冷水チューブ用の配管溝が形成されたＵターンパネルを選択して使用することにより、パネルの数は最少で良く、パネルの製造コストの低減化が可能である。
【０００９】
また、パネル数の削減により商品管理の容易化が可能となる。
【００１０】
また、様々な部屋の暖冷房条件にも対応することができる。
【図面の簡単な説明】
【００１１】
【図１】各パネルを分離した状態の説明図（平面図）である。
【図２】Ａ−Ａ’腺断面図である。
【図３】Ｂ−Ｂ’腺断面図である。
【図４】センターパネルとＵターンパネルの説明図（平面図）である。
【図５】センターパネルとＵターンパネルの説明図（平面図）である。
【図６】施工パターン１の説明図である。
【図７】施工パターン２の説明図である。
【図８】施工パターン３の説明図である。
【図９】施工パターン４の説明図である。
【図１０】パネルに形成された送り孔と戻り孔を示す図である。
【図１１】小根太入りセンターパネルの説明図（平面図）である。
【図１２】Ｃ−Ｃ’腺断面図である。
【発明を実施するための形態】
【実施例１】
【００１２】
以下、図１乃至図１２に基づいて本発明の実施例を説明する。
【００１３】
図１は各パネルの説明図であって、基本的にはセンターパネルＡと、ＵターンパネルＢ、Ｃ、Ｄ、Ｅからなる。
【００１４】
センターパネルＡは、表面に１０Ａ（小径）チューブ用の配管溝１が縦方向に一定の間隔で上辺ａから下辺ｂに向けて抜けるように形成されている。
【００１５】
更に左辺ｃから右辺ｄに向けて、上記１０Ａチューブ用の配管溝１と直角方向に同一の間隔で１３Ａ（大径）チューブ用の配管溝２が形成されている。
【００１６】
ＵターンパネルＢはセンターパネルＡの上辺ａに沿って敷設され、このＵターンパネルＢの表面にはセンターパネルＡ側の１０Ａチューブ用配管溝１にそれぞれ対向するように１０Ａチューブ用配管溝１が形成されていると共に、外側にはＵターン配管溝３ｂ、４ｂが二段に形成されている。
【００１７】
ＵターンパネルＣはＵターンパネルＢと同一（対称）設計であって、センターパネルＡの下辺ｂに沿って敷設される。
【００１８】
ＵターンパネルＤはセンターパネルＡの左辺ｃに沿って敷設されるパネルであって、このＵターンパネルＤの表面にはセンターパネルＡ側の１３Ａチューブ用配管溝２にそれぞれ対向するように１３Ａチューブ用配管溝２が形成されていると共に、外側にはＵターン配管溝３ｄ、４ｄが二段に形成されている。
【００１９】
ＵターンパネルＥはセンターパネルＡの右辺ｄに沿って敷設されるパネルであって、ＵターンパネルＤと同一（対称）の設計である。
【００２０】
上記ＵターンパネルＢ、Ｃ、Ｄ、Ｅにおいて、符号の５ｂはＵターン配管溝４ｂ、５ｃはＵターン配管溝４ｃ、５ｄはＵターン配管溝４ｄ、５ｅはＵターン配管溝４ｅの外側においてＵターン部と結ばれながら各Ｕターンパネルを横断するように形成された横断配管溝（バイパス）である。
【００２１】
次に、上記構成の各パネルを用いて行う床暖冷房用パネル装置の施工例を図６〜図１２を用いて説明する。
なお、本実施例内で示す温冷水チューブの配管パターンは代表的なものであり、この配管パターンはあくまでも例示にすぎない。
【００２２】
図６は、センターパネルＡを横に４枚、縦に３枚並設して全体で１２枚のセンターパネルＡでマットの中央部を形成し、この１２枚のセンターパネルＡを部屋の中央に置き、上辺ａに沿ってＵターンパネルＢを配置し、対向する下辺ｂに沿ってＵターンパネルＣを配置した状態を示している。
【００２３】
その上で、図１０に示す右端のＵターンパネルＢの配管溝内に形成された送り孔１２（Ａ点）を介して熱源機（図示せず）の往き口と結ばれた１０Ａ用温冷水チューブ７を、センターパネルＡの右端の配管溝１に沿って押し込むようにして配管し、次に３枚のセンターパネルＡを縦断してＵターンパネルＣに至った後、ＵターンパネルＣのＵターン配管溝４ｃを横断配管溝（バイパス）５ｃを経由して左方向に３つ横断（移動）した後にＵターンしてセンターパネルＡに戻り、３枚のセンターパネルＡを縦断してＵターンパネルＢに至った後、ＵターンパネルＢのＵターン配管溝３ｂでＵターンしてセンターパネルＡに戻るよう配管し、これを繰り返すことにより１０Ａ用温冷水チューブ７は各パネルＡ、Ｂ、Ｃの左端に至る。
【００２４】
そして、左端のＵターンパネルＢまで配管された１０Ａ用温冷水チューブ７はＵターンパネルＢのＵターン配管溝４ｂでＵターンしてセンターパネルＡに戻り、３枚のセンターパネルＡを縦断してＵターンパネルＣに至った後、ＵターンパネルＣのＵターン配管溝３ｃでＵターンしてセンターパネルＡに戻り、３枚のセンターパネルＡを縦断してＵターンパネルＢに至った後、ＵターンパネルＢのＵターン配管溝４ｂを横断配管溝（バイパス）５ｂを経由して右方向に３つ横断（移動）した後にセンターパネルＡに戻るよう配管し、これを繰り返すことにより１０Ａ用温冷水チューブ７は右端３枚のセンターパネルＡを縦断して、右端のＵターンパネルＢの配管溝内に形成された戻り孔１３（Ｂ点）に至る。
【００２５】
その後、１０Ａ用温冷水チューブ７を戻り孔１３に挿通し、熱源機の戻り口と結ぶ。
【００２６】
また、上記パネルの配置における他の配管例としては、次の配管例が挙げられる。
【００２７】
右端のＵターンパネルＢの配管溝内に形成された送り孔１２を介して熱源機の往き口と結ばれた１０Ａ用温冷水チューブ７をセンターパネルＡの右端の配管溝１に沿って押し込むようにして配管し、次に３枚のセンターパネルＡを縦断してＵターンパネルＣに至った後、ＵターンパネルＣのＵターン配管溝４ｃを経由して横断配管溝（バイパス）５ｃに至り、４枚のＵターンパネルＣを横断した後に左端のＵターンパネルＣのＵターン配管溝４ｃを経由してセンターパネルＡに戻り、３枚のセンターパネルＡを縦断してＵターンパネルＢに至る。
【００２８】
そして、ＵターンパネルＢのＵターン配管溝４ｂでＵターンしてセンターパネルＡに戻り、３枚のセンターパネルＡを縦断してＵターンパネルＣに至った後、ＵターンパネルＣのＵターン配管溝３ｃでＵターンしてセンターパネルＡに戻るよう配管し、これを繰り返すことにより１０Ａ用温冷水チューブ７はセンターパネルＡを縦断して、右端のＵターンパネルＢの配管溝内に形成された戻り孔１３に至る。
【００２９】
その後、１０Ａ用温冷水チューブ７を戻り孔１３に挿通し、熱源機の戻り口と結ぶ。
【００３０】
以上により、熱源機から送出された温冷水は各パネルＡ、Ｂ、Ｃを一巡して熱源機に戻り、これを繰り返すことにより、本装置の施工された屋内の暖冷房を行う。
【００３１】
また、上記実施例においては温冷水チューブと熱源機とを直接結んでいるが、温水ヘッダーを介して温冷水チューブと熱源機とを結んでも良い。
【００３２】
図７は１３Ａ用温冷水チューブ１０の配管例であって、この配管はセンターパネルＡの左辺ｃにＵターンパネルＤを敷設し、ＵターンパネルＥはセンターパネルＡの右辺ｄに並設し、あとは１０Ａ用温冷水チューブ７の場合と同様に１３Ａ用温冷水チューブ１０を配管する。
【００３３】
以上において、床面積に応じてセンターパネルＡの並設枚数を合わせ、かつ１０Ａ又は１３Ａ用温冷水チューブ７、１０を使用条件に合わせて各パネルの１０Ａ用チューブ用配管溝１又は１３Ａ用チューブ用配管溝２内に配管する。
【００３４】
図８は１０Ａ用温冷水チューブ７を用いて横方向に向けて配管する例、図９は１３Ａ用温冷水チューブ１０を用いて縦方向に配管する例である。
【００３５】
なお、本発明を用いることにより可能となる配管例は多数存在するため、配管例は上記実施例に限定されるものではない。
【００３６】
図１０は温冷水チューブと熱源機とを結ぶためにＵターンパネルに形成された送り孔１２（Ａ点）と戻り孔１３（Ｂ点）を示す図である。
【００３７】
図１０において送り孔１２と戻り孔１３はＵターンパネルに形成されているが、センターパネルに形成してもよい。
【００３８】
以上に説明した各パネルの並設とチューブの決定は、施工前に設備の設計に合わせて決定する。
【００３９】
また、各パネルは接着剤又はテープ等でフローリング床等に固定する。
【００４０】
本発明は、以上のとおり、センターパネルＡの敷設とＵターン配管溝３ｂ〜３ｅ、４ｂ〜４ｅ、横断配管溝（バイパス）５ｂ〜５ｅが形成されたＵターンパネルＢ、Ｃ、Ｄ、Ｅの使用例（配置例）を工夫することにより、住宅のマットの敷設面積と形状に合わせて床暖房システムを構築することができるので、従来のように多数の規格されたマットを用意しておく必要がなくなり、製造コストの低減と商品管理の容易化を図ることができる。
【００４１】
また、温冷水チューブは放熱量に合わせて１０Ａ（小径）又は１３Ａ（大径）用のチューブを選択することにより、放熱量の設計にも自由に対応できる。
【００４２】
なお、パネルがフローリング床に施工される場合には、図１１に示すように小根太１１を適宜組み込むことにより対応する。
【符号の説明】
【００４３】
Ａ  センターパネル
Ｂ  Ｕターンパネル
Ｃ  Ｕターンパネル
Ｄ  Ｕターンパネル
Ｅ  Ｕターンパネル
１  １０Ａ用チューブ用配管溝
２  １３Ａ用チューブ用配管溝
３ｂ、３ｃ、３ｄ、３ｅ  Ｕターン配管溝
４ｂ、４ｃ、４ｄ、４ｅ  Ｕターン配管溝
５ｂ、５ｃ、５ｄ、５ｅ  横断配管溝
７  １０Ａ用温冷水チューブ
１０  １３Ａ用温冷水チューブ
１１  小根太
１２  送り孔
１３  戻り孔
【図１】
2020026718.tif 000003
【図２】
2020026718.tif 000004
【図３】
2020026718.tif 000005
【図４】
2020026718.tif 000006
【図５】
2020026718.tif 000007
【図６】
2020026718.tif 000008
【図７】
2020026718.tif 000009
【図８】
2020026718.tif 000010
【図９】
2020026718.tif 000011
【図１０】
2020026718.tif 000012
【図１１】
2020026718.tif 000013
【図１２】
2020026718.tif 000014